(57)【要約】【課題】カードリーダを壁から外すことなく制御装置の近辺で作業するだけで、カードリーダのプログラムを書き換えられるようにしたセキュリティシステムを提供する。【解決手段】利用者のカードの情報を読み取り伝送するカードリーダ１ａと、このカードリーダから伝送された情報に従ってセキュリティ制御を行う制御装置７ａと、を備えたセキュリティシステムであって、上記カードリーダ１ａが、上記制御装置への情報の伝送を行う通信およびカードリーダのプログラムの書き換えのための通信を共に行う通信制御部１６を備えたことを特徴とする。【選択図】　　　　図１
2004005161.tif 000002
【特許請求の範囲】
【請求項１】
利用者のカードの情報を読み取り伝送するカードリーダと、このカードリーダから伝送された情報に従ってセキュリティ制御を行う制御装置と、を備えたセキュリティシステムであって、上記カードリーダが、上記制御装置への情報の伝送を行う通信およびカードリーダのプログラムの書き換えのための通信を共に行う通信制御部を備えたことを特徴とするセキュリティシステム。
【請求項２】
カードリーダに設けられた人を感知するセンサと、
利用者のカードの情報を読み取り伝送する通常動作を行っているカードリーダに対しても書き換えるべきプログラムの転送を行い、該プログラムの伝送が完了しカードリーダで再起動準備完了後、上記センサに基づきカードリーダを使用する人がいない時に該プログラムの再起動処理を行うプログラム書き換え手段と、
を備えたことを特徴とする請求項１に記載のセキュリティシステム。
【請求項３】
上記制御装置が、上記カードリーダと通信する第１の通信制御手段と、外部から接続される情報処理装置と通信する第２の通信制御手段と、指示に従い上記第１および第２の通信制御手段をＣＰＵを介すことなく直結するモードに切り換える手段と、を備えたことを特徴とする請求項１に記載のセキュリティシステム。
【請求項４】
上記制御装置からカードリーダに電力を供給する電源線と、この電源線の電力の供給をオン、オフする電源スイッチを制御装置に設けたことを特徴とする請求項１に記載のセキュリティシステム。
【発明の詳細な説明】
【０００１】
【発明の属する技術分野】
この発明は、ビル内の通行等を管理するセキュリティシステムに関する。
【０００２】
【従来の技術】
図３にカードリーダを用いて出入管理や防犯、防災監視などを行うこの種のセキュリティシステムの全体構成図を示す。図３において、１はカードリーダ、７はセキュリティシステムの制御装置、６はカードリーダ１と制御装置７を接続するＲＳ４２２（規格）送受信号（線）、１３は情報処理装置であるパーソナルコンピュータ（以下パソコン）で１５，１８はこのパソコン１３をカードリーダ１あるいは制御装置７に接続するＲＳ２３２（規格）送受信号（線）である。
【０００３】
カードリーダ１は玄関などの建物の出入口や室内への出入口の壁面に設けられる。利用者が保有しているカードの操作を行うと、カードリーダ１はカードの情報を読み取り、読取信号（読取データ）をＲＳ４２２送受信号６を介して制御装置７に伝送する。
【０００４】
制御装置７は、カードリーダ１から伝送された読取信号を解読し、解読結果に基づいて必要な制御信号を出力する。例えば出入り管理の場合には、カードのＩＤ番号がカードリーダ１で読み取られ、その読取信号は制御装置７に送られ、制御装置７に予め登録されているＩＤ番号と一致したとき、電気錠を解錠する解錠信号が電気錠に送られ、扉がひらく。
【０００５】
このように出入管理では、カードのＩＤ番号をカードリーダ１で読み取ることにより、その都度電気錠を解錠して、入室、退室を行っている。
【０００６】
またパソコン１３を制御装置７に接続することにより、パソコンの画面を利用して制御装置のメモリの内容を参照、保存したり、制御装置の設定内容を変更することができる。
【０００７】
一方、近年、不揮発メモリとして、従来多く使用されていたＲＯＭからオンボード（基板上）書き換えのできるフラッシュメモリヘの移行が急速に進んでいる。フラッシュメモリはオンボード書き換えができるため、プログラムを変更するために、従来のような物理的なＲＯＭ交換は不要で、通信を経由してプログラムを書きかえることが可能である。特にカードリーダ１のようにプログラム容量が小さい製品は、通信経由によるプログラム書き換えが採用されることが多い。
【０００８】
図４には従来のセキュリティシステムの構成を示す。図４において、図３と同一もしくは相当部分は同一符号で示す。カードリーダ１において、２はカードリーダのＣＰＵ、３はフラッシュメモリ、４は制御装置７との通信を行う通信制御部、５は通信用のＲＳ４２２ドライバ／レシーバ、１６はパソコン１３との通信を行うフラッシュメモリ３のデータ等の書換え用通信制御部、１７は通信用のＲＳ２３２ドライバ／レシーバである。また制御装置７において、１０は通信用のＲＳ４２２ドライバ／レシーバ、９はカードリーダ１との通信のための通信制御部、８はＣＰＵ、１１はパソコン１３との通信のための通信制御部、１２は通信用のＲＳ２３２ドライバ／レシーバである。そしてパソコン１３において、１４はカードリーダ１や制御装置７と通信を行うシリアルポートである。
【０００９】
図４に示すように、フラッシュメモリ３を搭載したカードリーダ１のプログラム書き換え方式として、従来はカードリーダ１に書き換え用通信制御部１６及びＲＳ２３２ドライバ／レシーバ１７を設け、パソコン１３と通信させることにより、パソコン経由でプログラムの書き換えを行っていた。
【００１０】
【発明が解決しようとする課題】
しかしながら、カードリーダは一般に公共の場所に設置され、不特定多数の人が操作するものであることから、書き換え用のコネクタを表面に設けることはできず、裏側に設けることになる。よって、カードリーダのプログラムを書き換えるには、カードリーダ裏側のコネクタを露出させるためにカードリーダを壁から取り外す必要が発生するが、これに関しては以下の問題がある。
１）取り外し／取付け作業に時間がかかる
２）カードリーダを壁等の取り付け場所から外す際に取り付け場所を傷つけることがある
３）パソコン及びカードリーダの電源を得るコンセントが近くに無いことが多い（カードリーダの設置されているのは廊下が多いが、通常、コンセントは用意されていない）
【００１１】
一方、制御装置は、利用者が操作する製品ではないので、他の設備と一緒に機械室等に入れられることが多い。
【００１２】
そこでこの発明では、カードリーダを壁等から取り外すことなく、例えば機械室内等に設けられている制御装置の近辺で作業するだけで、カードリーダのプログラムを書き換えられるようにしたセキュリティシステムを提供することを目的とする。
【００１３】
【課題を解決するための手段】
上記の目的に鑑み、この発明は、利用者のカードの情報を読み取り伝送するカードリーダと、このカードリーダから伝送された情報に従ってセキュリティ制御を行う制御装置と、を備えたセキュリティシステムであって、上記カードリーダが、上記制御装置への情報の伝送を行う通信およびカードリーダのプログラムの書き換えのための通信を共に行う通信制御部を備えたことを特徴とするセキュリティシステムにある。
【００１４】
また、カードリーダに設けられた人を感知するセンサと、利用者のカードの情報を読み取り伝送する通常動作を行っているカードリーダに対しても書き換えるべきプログラムの転送を行い、該プログラムの伝送が完了しカードリーダでの再起動準備完了後、上記センサに基づきカードリーダを使用する人がいない時に該プログラムの再起動処理を行うプログラム書き換え手段と、を備えたことを特徴とする。
【００１５】
また、上記制御装置が、上記カードリーダと通信する第１の通信制御手段と、外部から接続される情報処理装置と通信する第２の通信制御手段と、指示に従い上記第１および第２の通信制御手段をＣＰＵを介すことなく直結するモードに切り換える手段と、を備えたことを特徴とする。
【００１６】
また、上記制御装置からカードリーダに電力を供給する電源線と、この電源線の電力の供給をオン、オフする電源スイッチを制御装置に設けたことを特徴とする。
【００１７】
第１の発明のセキュリティシステムは、カードリーダのプログラムを書き換える通信制御部を制御装置と伝送する通信制御部と共用したものである。また第２の発明のセキュリティシステムは、第１の発明において、カードリーダをプログラム書き換え中も製品として動作を継続するようにし、人を感知するセンサを備え、センサが人を検出している間は、カードリーダのプログラムを書き換えた後の再起動処理を実行しないようにしたものである。第３の発明のセキュリティシステムは、第１の発明において、制御装置にＲＳ２３２規格の通信制御部を備え、特定の操作により、ＲＳ２３２規格の通信制御部とカードリーダと通信する通信制御部がＣＰＵを介すことなく直結するモードになるようにしたものである。第４の発明のセキュリティシステムは、第１の発明において、カードリーダの電源は制御装置から供給され、カードリーダの電源オン、オフする電源スイッチを制御装置に設けたものである。
【００１８】
【発明の実施の形態】
以下この発明を各実施の形態に従って説明する。
実施の形態１．
図１はこの発明の一実施の形態によるセキュリティシステムの構成を示す。図１において、１ａはこの発明によるカードリーダ、７ａはこの発明による制御装置である。図４に示す従来のものと同一もしくは相当部分は同一符号で示す。カードリーダ１ａにおいて、２０は赤外線センサ等からなる人を感知するセンサ（以下人感センサとする）、２２は電源回路、２３は電源線である。また制御装置７ａにおいて、１９は切換回路、２１は電源スイッチである。
【００１９】
カードリーダ１ａと制御装置７ａはＲＳ４２２（規格）送受信号（線）６を利用して通信を行う。これはカードリーダ１ａと制御装置７ａが離れて（例えば１００ｍ以上）設置されていることを想定している。
【００２０】
また、書換え用通信制御部１６にて、制御装置７ａと通信制御を行うようにしている。これにより、書換え用通信制御部１６が制御装置７ａの通信制御部９とつながることとなり、制御装置７ａとカードリーダ１ａの間の通信手順にプログラム書き換えコマンドを追加することにより、制御装置７ａからカードリーダ１ａのプログラムを書き換えることができる。
【００２１】
実施の形態２．
また、この発明の別の実施の形態によるセキュリティシステムでは、カードリーダ１ａは通常の動作（製品としての動作）、すなわち利用者のカードから情報、例えばＩＤ番号を読み取り制御装置７ａへ伝送する動作を行いながら、プログラムの伝送を行うようにし、利用者の利便性を損なわないようにしている。この場合、プログラム転送動作は製品プログラムを実行しながらでもできるが、転送完了後の再起動（リセットスタート）時は、製品プログラムも再起動動作を行うので、一時的にカードリーダが使用できない時間が発生する。
【００２２】
その対策のため、カードリーダ１ａに設けられた人感センサ２０を使用するが、その動作について図４のフローチャートに従って説明する。ステップＳ１で書き換えコマンドを受信すると、ステップＳ２へ進みプログラムの転送を行い、ステップＳ３で上述の通常動作を行う。
【００２３】
ステップＳ４にてプログラムの転送が完了しカードリーダ１ａでの書き換えが終了していれば、人感センサ２０のチェックに入り、ステップＳ５にて人感センサ２０の人の検出がなくなれば、ステップＳ７でプログラムの再起動を行う。人の検出がある間はステップＳ６で通常動作となる。
【００２４】
これにより、利用者がカードリーダの近くにいる時に再起動を行わないようにしたため、利用者がカードリーダを使えないことを避けることができる。
【００２５】
実施の形態３．
また、この発明の別の実施の形態によるセキュリティシステムでは、図１に示すように、制御装置７ａに接続するパソコン１３の画面（図示省略）を利用して制御装置７ａのメモリ（図示省略）の内容を参照、保存したり、制御装置７ａの設定内容を変更することができる。
【００２６】
ここで、カードリーダ１ａのプログラムを書き換える際には、予め定めた特定の操作を行い切換回路１９のスイッチを直結状態（図１に示した状態）にする。この時、制御装置７ａに接続されたパソコン１３と、カードリーダ１ａの書換え用通信制御部１６が、ＲＳ２３２（規格）伝送信号（線）１５とＲＳ４２２伝送信号（線）６を経由して直接つながる。
【００２７】
すなわち、離れた位置（制御装置７ａの近く）からカードリーダ１ａのプログラムをパソコン１３を使って書き換えることができる。なお、上記特定の操作とは、制御装置７ａに設けたあるハードウェアのスイッチを切換操作するようにしても良いし、また、通信経由のコマンドを受け付けるようにしてもよい（通信経由で受け付けたコマンドに従って制御装置７ａのＣＰＵ８の制御し従って切換回路１９のスイッチを切り換える）。通信経由のコマンドを受け付けたことにしても良い。
【００２８】
実施の形態４．
また、この発明のさらに別の実施の形態によるセキュリティシステムでは、カードリーダ１ａの電源回路２２への電力を制御装置７ａから電源線２３を介して供給し、しかも電源スイッチ２１を設けたため、電源スイッチ２１のオフ、オンによりカードリーダ１ａのハードウェアリセットスタート（強制初期化）が行える。
【００２９】
【発明の効果】
以上のようにこの発明によれば、利用者のカードの情報を読み取り伝送するカードリーダと、このカードリーダから伝送された情報に従ってセキュリティ制御を行う制御装置と、を備えたセキュリティシステムであって、上記カードリーダが、上記制御装置への情報の伝送を行う通信およびカードリーダのプログラムの書き換えのための通信を共に行う通信制御部を備えたことを特徴とするセキュリティシステムとしたので、カードリーダのプログラムを制御装置から書き換えることができるため、カードリーダを壁等の取り付け部分から取り外すことなくプログラムの書き換えが可能となる。
【００３０】
また、カードリーダに設けられた人を感知するセンサと、利用者のカードの情報を読み取り伝送する通常動作を行っているカードリーダに対しても書き換えるべきプログラムの転送を行い、該プログラムの伝送が完了しカードリーダでの書き換え完了後、上記センサに基づきカードリーダを使用する人がいない時に該プログラムの再起動処理を行うプログラム書き換え手段と、を備えたことを特徴としたので、人を感知するセンサが人を検出している間は、再起動を行わないため、プログラム書き換えに伴う利用不可の状態を利用者に感じさせずにおくことができる。
【００３１】
また、上記制御装置が、上記カードリーダと通信する第１の通信制御手段と、外部から接続されるパソコンと通信する第２の通信制御手段と、指示に従い上記第１および第２の通信制御手段をＣＰＵを介すことなく直結するモードに切り換える手段と、を備えたことを特徴としたので、制御装置のプログラムに手を加える必要が無く、プログラム書き換え用のプログラムはすべてパソコン及びカードリーダで動作するので、この構成であれば、市販の書き換えプログラムを利用することもできるため、ソフトウェア開発効率が高まる。
【００３２】
また、上記制御装置からカードリーダに電力を供給する電源線と、この電源線の電力の供給をオン、オフする電源スイッチを制御装置に設けたことを特徴としたので、制御装置にいながらカードリーダのハードウェアリセットスタートができるようになり、ハードウェアリセットスタートはプログラム転送完了後の再立ち上げに利用したり、転送プログラム自身が不測の状態に陥った時の強制初期化処理に利用でき、より安定したシステムを提供できる。
【図面の簡単な説明】
【図１】この発明の一実施の形態によるセキュリティシステムの構成を示す図である。
【図２】この発明の別の実施の形態によるセキュリティシステムの動作を説明するためのフローチャートである。
【図３】従来及び本発明のセキュリティシステムの全体構成図である。
【図４】従来のセキュリティシステムの構成を示す図である。
【符号の説明】
１ａ　カードリーダ、２，８　ＣＰＵ、３　フラッシュメモリ、４，９，１１通信制御部、５，１０　ＲＳ４２２ドライバ／レシーバ、６　ＲＳ４２２送受信号（線）、７ａ　制御装置、１２，１７　ＲＳ２３２ドライバ／レシーバ、１３パソコン、１４　シリアルポート、１５　ＲＳ２３２送受信号（線）、１６　書換え用通信制御部、１９　切換回路、２０　人感センサ、２１　電源スイッチ、２２　電源回路、２３　電源線。
【図１】
2004005161.tif 000003
【図２】
2004005161.tif 000004
【図３】
2004005161.tif 000005
【図４】
2004005161.tif 000006